(57)【要約】　　　（修正有）【課題】簡易な構造のポップアップ型付箋紙積層体を得る。【解決手段】方形の付箋紙が付箋紙の辺に沿って付された接着剤の細い帯によって、相互にその対向辺が交互に接着された付箋紙積層体において、付箋紙積層体１と台紙１２の外周囲に、付箋紙積層体を圧迫する第１輪ゴム１６と第２輪ゴム１７を設けたものであり、第１輪ゴム１６は、第１対向辺と第２対向辺の中間線８と第１対向辺４の間に設置され、第２輪ゴム１７は、第１対向辺と第２対向辺の中間線８と第２対向辺５の間に設置される。【選択図】　図２
0003096951.tif 000002
【実用新案登録請求の範囲】
【請求項１】
方形の付箋紙が付箋紙の辺に沿って付された接着剤の細い帯によって相互に接着された付箋紙積層体であり、かつ、当該付箋紙の接着は、当該積層体中で連続して積層される付箋紙について、交互に対向する第１対向辺と第２対向辺の近傍が接着されたものである、前記付箋紙積層体において、
前記付箋紙積層体の外周囲に、前記付箋紙積層体をその表面と裏面を押し付ける方向に圧迫する第１圧迫手段と第２圧迫手段を設けたものであり、第１圧迫手段は、第１対向辺と第２対向辺の中間線と第１対向辺の間に設置され、前記付箋紙積層体の第１対向辺に略平行な帯状部分に前記圧迫の作用を行い、第２圧迫手段は第１対向辺と第２対向辺の中間線と第２対向辺の間に設置され、前記付箋紙積層体の第２対向辺に略平行な帯状部分に前記圧迫の作用を行うことを特徴とする付箋紙積層体。
【請求項２】
第１圧迫手段と第２圧迫手段は、上板と復元収縮力のある帯から構成され、前記付箋紙積層体の上に前記上板を載置し、前記上板の一方端部に前記帯の一方端部を係止し、前記帯が前記付箋紙積層体の一方端面、底面、他方端面を取り巻き、前記帯の他方端部が前記上板の他方端部に係止されていることを特徴とする請求項１記載の付箋紙積層体。
【請求項３】
方形の付箋紙が付箋紙の辺に沿って付された接着剤の細い帯によって相互に接着された付箋紙積層体であり、かつ、当該付箋紙の接着は、当該積層体中で連続して積層される付箋紙について、交互に対向する第１対向辺と第２対向辺の近傍が接着されたものである、前記付箋紙積層体において、
係止位置を設けた台紙上に前記付箋紙積層体を載置し、第１対向辺と第２対向辺の中間線と第１対向辺の間に、前記台紙と前記付箋紙積層体の外周囲を取り巻く第１輪ゴムを設置し、第１輪ゴムが前記台紙の表面と裏面を交差する位置が前記台紙上の前記付箋紙積層体の輪郭線上乃至輪郭線の外側であり、第１輪ゴムの一部分を前記台紙の係止位置に係止して、第１輪ゴムと前記付箋紙積層体の位置関係を略固定し、かつ、
第１対向辺と第２対向辺の中間線と第２対向辺の間に、前記台紙と前記付箋紙積層体の外周囲を取り巻く第２輪ゴムを設置し、第２輪ゴムが前記台紙の表面と裏面を交差する位置が前記台紙上の前記付箋紙積層体の輪郭線上乃至輪郭線の外側であり、第２輪ゴムの一部分を前記台紙の係止位置に係止して第２輪ゴムと前記付箋紙積層体の位置関係を略固定した付箋紙積層体。
【請求項４】
１の前記台紙上に、複数の前記付箋紙積層体を個々の前記付箋紙積層体の第１対向辺を略平行にして載置したものであり、
前記第１輪ゴムと第２輪ゴムはそれぞれ１本の輪ゴムであり、前記２本の輪ゴムが前記台紙と前記複数の付箋紙積層体を取り巻き、
前記複数の付箋紙積層体の中で隣接する一対の付箋紙積層体について、前記輪ゴムの特定部分が、前記一対中の一方の付箋紙積層体の表面に位置し、前記台紙に設けられた係止位置で前記輪ゴムが台紙の表面側から裏面側に交差し、前記輪ゴムの前記特定部分に隣接する一部分が、前記一対中の他方の付箋紙積層体が載置されている台紙部分の裏面に位置し、かつ、
前記複数の付箋紙積層体の外周に載置された付箋紙積層体について、前記輪ゴムの一部分が、前記外周付箋紙積層体の表面に位置し、前記輪ゴムが前記台紙の外周部分で台紙の表面から裏面に交差し、前記輪ゴムの前記一部分に隣接する部分が、前記外周付箋紙積層体が載置されている台紙部分の裏面に位置することを特徴とする請求項３記載の付箋紙積層体。
【請求項５】
請求項１乃至４いずれか記載の付箋紙積層体が収納容器に収納されたものであり、前記収納容器の天板の中央部分に、前記第１対向辺と平行に延びる略長方形の開口部が設けられている収納容器に収納された付箋紙積層体。
【考案の詳細な説明】
【０００１】
【産業上の利用分野】
本考案は積層状に接着された付箋紙を１枚ずつ取り出すことのできるポップアップタイプの付箋紙積層体に関するものである。また、収納容器に収納されたポップアップタイプの付箋紙積層体に関するものである。
【０００２】
【従来の技術】
メモ用紙あるいは各種のインデックス用紙として付箋紙が用いられている。この付箋紙は、裏面に非転移性の感圧接着剤層が設けられているとともに、当該接着剤層を利用して多数枚を積層状にした状態で市販されている。そして、この付箋紙積層体を収納し、容器の天板に設けられた隙間から１枚ずつ付箋紙を取り出すことのできるポップアップタイプの付箋紙収納容器が知られている。
収納容器には、付箋紙積層体と共に、付箋紙１枚ごとの取り出しがスムーズに行えるように、付箋紙積層体を容器の天板に向かって押付ける手段（以下付勢手段という）が収納されている。
【０００３】
例えば、従来の付箋紙収納容器は容器の底面と付箋紙積層体の間につるまき状圧縮バネを入れ、付箋紙積層体を容器の天板に付勢している（例えば、特許文献１参照。）。
また、容器の底面と付箋紙積層体の間に付箋紙積層体の下面と接触され下方から支持する平面部と、その両端に連設され複数の水平方向の折り曲げ線を有するように折り込まれて上下方向に延びる一対の脚辺を有する付勢手段を入れ、付箋紙積層体を容器の天板に付勢しているものもある（例えば、特許文献２参照。）。
【０００４】
【特許文献１】
実開昭６２−６２８２号公報　（第２図）
【特許文献２】
実用新案登録３０７１５８５号公報
【０００５】
【考案が解決しようとする課題】
従来の付箋紙積層体付勢手段は、付箋紙収納容器用に特別に調整されるものであり、作成には費用と手数が必要となる。また、収納容器は、付勢手段の付勢力に耐える強度が必要である。さらに、容器の底面と付箋紙積層体下面の間に付勢手段を介在させるために、付勢手段を収納するための空間が必要となり、収納容器の厚さを薄くするには一定の限度がある。
また、複数の付箋紙積層体を１の収納容器に収納する場合に、従来の単独の付箋紙積層体用の付勢手段を採用すると、１の付箋紙積層体毎に付勢手段を設ける必要があり、また、一組の付箋紙積層体と付勢手段の位置関係を適当に保つ手段が必要となる問題点もある。
【０００６】
そこで、本考案は、簡易な構造で付箋紙積層体をポップアップ出来る付箋紙積層体を得ることを課題とする。また、本考案は、複数の付箋紙積層体を１の収納容器に収納する場合に好適なポップアップ手段を得ることを課題とする。さらに、本考案は、収納容器に付勢力に対抗する強度が必要とされない付箋紙積層体を得ることを課題とする。
また、本考案の課題は、付箋紙積層体を収納した収納容器を薄く出来る付箋紙積層体を得ることにある。
さらに、本考案の他の課題は、上記のような付箋紙積層体を収納した、収納容器に収納された付箋紙積層体を得ることにある。
【０００７】
【課題を解決するための手段】
上記の課題を解決するために、請求項１にかかる付箋紙積層体は、方形の付箋紙が付箋紙の辺に沿って付された接着剤の細い帯によって相互に接着された付箋紙積層体であり、かつ、当該付箋紙の接着は、当該積層体中で連続して積層される付箋紙について、交互に対向する第１対向辺と第２対向辺の近傍が接着されたものである、前記付箋紙積層体において、前記付箋紙積層体の外周囲に、前記付箋紙積層体をその表面と裏面を押し付ける方向に圧迫する第１圧迫手段と第２圧迫手段を設けたものであり、第１圧迫手段は、第１対向辺と第２対向辺の中間線と第１対向辺の間に設置され、前記付箋紙積層体の第１対向辺に略平行な帯状部分に前記圧迫の作用を行い、第２圧迫手段は第１対向辺と第２対向辺の中間線と第２対向辺の間に設置され、前記付箋紙積層体の第２対向辺に略平行な帯状部分に前記圧迫の作用を行うことを特徴とする。
本考案において、第１対向辺または第２対向辺に「略平行」とは、平行を含み、第１または第２対向辺と±２５度の角度までの角度範囲をいう。また、「帯状」とは、その幅の最小範囲が線状であり、その幅の最大範囲が付箋紙の第１対向辺に垂直な辺長の１／３である範囲を意味する。線状の帯は、輪ゴムや針金により形成することができ、圧迫手段が作成容易であり好ましい。
【０００８】
請求項２にかかる考案は、請求項１記載の付箋紙積層体において、第１圧迫手段と第２圧迫手段は、上板と復元収縮力のある帯から構成され、前記付箋紙積層体の上に前記上板を載置し、前記上板の一方端部に前記帯の一方端部を係止し、前記帯が前記付箋紙積層体の一方端面、底面、他方端面を取り巻き、前記帯の他方端部が前記上板の他方端部に係止されていることを特徴とする。
本考案において、上板は、長手の板状部材や金属棒のような線状部材を含む。また、復元収縮力のある帯は、帯の長手方向全体にわたり復元収縮力のある帯と、帯の長手方向の一部に復元収縮力のある部材を含む帯の両者を意味する。
【０００９】
請求項３にかかる付箋紙積層体は、方形の付箋紙が付箋紙の辺に沿って付された接着剤の細い帯によって相互に接着された付箋紙積層体であり、かつ、当該付箋紙の接着は、当該積層体中で連続して積層される付箋紙について、交互に対向する第１対向辺と第２対向辺の近傍が接着されたものである、前記付箋紙積層体において、係止位置を設けた台紙上に前記付箋紙積層体を載置し、第１対向辺と第２対向辺の中間線と第１対向辺の間に、前記台紙と前記付箋紙積層体の外周囲を取り巻く第１輪ゴムを設置し、第１輪ゴムが前記台紙の表面と裏面を交差する位置が前記台紙上の前記付箋紙積層体の輪郭線上乃至輪郭線の外側であり、第１輪ゴムの一部分を前記台紙の係止位置に係止して、第１輪ゴムと前記付箋紙積層体の位置関係を略固定し、かつ、第１対向辺と第２対向辺の中間線と第２対向辺の間に、前記台紙と前記付箋紙積層体の外周囲を取り巻く第２輪ゴムを設置し、第２輪ゴムが前記台紙の表面と裏面を交差する位置が前記台紙上の前記付箋紙積層体の輪郭線上乃至輪郭線の外側であり、第２輪ゴムの一部分を前記台紙の係止位置に係止して第２輪ゴムと前記付箋紙積層体の位置関係を略固定したことを特徴とする。
本考案において、台紙は、係止位置を定める作用、輪ゴムの収縮力に対抗して付箋紙積層体（特に、付箋紙が消費された後に付箋紙が残り少なくなった場合の付箋紙積層体）の平板状態を保つ作用、さらには、収納容器に収納する場合に容器内での付箋紙積層体の位置を保持する作用を行う。これらの作用は、付箋紙積層体の底面を構成する底面台紙に受け持たせることもできる。この場合には、底面台紙を強度のある厚紙などで構成することになる。底面台紙に強度を持たせた場合には、台紙を廃して、底面台紙を本考案にいう台紙として用いることもできる。
【００１０】
請求項４にかかる考案は、請求項３記載の付箋紙積層体において、１の前記台紙上に、複数の前記付箋紙積層体を個々の前記付箋紙積層体の第１対向辺を略平行にして載置したものであり、前記第１輪ゴムと第２輪ゴムはそれぞれ１本の輪ゴムであり、前記２本の輪ゴムが前記台紙と前記複数の付箋紙積層体を取り巻き、前記複数の付箋紙積層体の中で隣接する一対の付箋紙積層体について、前記輪ゴムの特定部分が、前記一対中の一方の付箋紙積層体の表面に位置し、前記台紙に設けられた係止位置で前記輪ゴムが台紙の表面側から裏面側に交差し、前記輪ゴムの前記特定部分に隣接する一部分が、前記一対中の他方の付箋紙積層体が載置されている台紙部分の裏面に位置し、かつ、前記複数の付箋紙積層体の外周に載置された付箋紙積層体について、前記輪ゴムの一部分が、前記外周付箋紙積層体の表面に位置し、前記輪ゴムが前記台紙の外周部分で台紙の表面から裏面に交差し、前記輪ゴムの前記一部分に隣接する部分が、前記外周付箋紙積層体が載置されている台紙部分の裏面に位置することを特徴とする。
本考案において、複数とは２以上を意味する。また、「第１対向辺を略平行にして載置」とは、１の台紙上に載置された複数の付箋紙積層体における、個々の第１対向辺が１本の直線となる配置と、個々の第１対向辺が平行線となる配置、及び個々の第１対向辺延長線の交差角度が最大±５度の角度になる配置を含むものである。
【００１１】
請求項５にかかる収納容器に収納された付箋紙積層体は、請求項１乃至４いずれか記載の付箋紙積層体が収納容器に収納されたものであり、前記収納容器の天板の中央部分に、前記第１対向辺と平行に延びる略長方形の開口部が設けられていることを特徴とする。
【００１２】
【作用】
本考案にかかる付箋紙積層体は、付箋紙積層体を構成する付箋紙の帯状接着剤塗布部分の近傍が圧迫手段（または圧迫手段の一態様である、上板、輪ゴム）により、上下に圧迫作用を受けている。付箋紙積層体の最上位にある付箋紙の自由辺を上方に持ち上げると、この上方向の力は、圧迫手段に妨げられて横方向に方向が変わる。
このため、当該最上位の付箋紙と次位の付箋紙の接着部分は両者の付箋紙の表面に平行な力（接着面に平行な力）を受けることになる。接着面は、接着面に平行な力に対しては、強力な接着力を発揮する。よって、最上位の付箋紙を上方に持ち上げると、接着された２枚の紙が圧迫手段位置から抜け出してくる。
【００１３】
接着された対向辺が圧迫手段位置から抜け出すと、両者の付箋紙には、上方向きの力が方向を変えずに作用する。つまり当該最上位の付箋紙と接着されている次の付箋紙の接着部分は両者の付箋紙の表面に垂直な力（接着面に垂直な力）を受けることになる。つまり、接着面は両者の紙の間隔を広げる力を受ける。よって両者の接着は、容易に剥がれる。
このようにして、最上位の付箋紙は積層体から外れる。同時に次位にあった付箋紙が次なる引き剥がしのための自由端として残る。
以上説明したように、本考案にかかる第１、第２圧迫手段は、付箋紙積層体に塗布された接着剤と共同して付箋紙のポップアップのために作用する。
【００１４】
本考案にかかる付箋紙積層体は、それ自体でポップアップ付箋紙として使用出来る。また、本考案にかかる付箋紙積層体を収納容器に収納することも出来る。収納容器に収納すると、付箋紙取り出し時に付箋紙の自由端を上方向に持ち上げたとき、その上方向の力は、圧迫手段によって横方向に変換されると同時に、収納容器天板の開口部端部によってもまた、横方向に変換される。よって、付箋紙のポップアップがよりスムーズとなる。さらに、収納容器により、外観の美観が向上する。
【００１５】
【考案の実施の形態】
以下に実施例により、本考案にかかる付箋紙積層体と収納容器に収納された付箋紙積層体をさらに説明する。この考案の実施例に記載されている部材や部分の寸法、材質、形状、その相対位置などは、とくに特定的な記載のない限りは、この考案の範囲をそれらのみに限定する趣旨のものではなく、単なる説明例にすぎない。
【００１６】
図１は収納容器に収納された付箋紙積層体の斜視図である。収納容器２の中に付箋紙積層体１が収納されている。収納容器２の天板２１には開口部２２があり、付箋紙積層体１を構成する最上位の付箋紙３の自由端辺が、開口部２２から突出している。
第１対向辺４と第２対向辺５は、方形の付箋紙３の４辺のなかで、帯状に塗布された接着剤と平行な２つの辺である。矢印２３は、収納容器２に収納された状態において、第１対向辺４と第２対向辺５の中間線に相当する収納容器天板２１上の仮想中間線を示す。
【００１７】
収納容器２は、紙、合成樹脂、木など任意の素材で作ることができる。加工の容易性、経済性から紙で作ることが好ましい。紙で作る場合には、マニラボール、白ボール、黄板紙、チップボール、色板紙などの紙器用板紙を使用することができる。また、外観上からこれらに塗工、上貼りなどをしたものがより好ましい。
収納容器２は、直方体、または、天板が底板よりも小さく断面台形の略直方体などにすることができる。収納容器２の側面はその一面を開閉可能な構造（例えば、天板の延長片で側面を構成し、その先端を内部に折り込む構造）としたり、又は側面を糊付けなどにより密閉したりすることができる。開閉可能な構造にすると付箋紙積層体を詰め替えることが可能になり、また、廃棄時に紙製容器と輪ゴムなどを分別するのに便利である。
【００１８】
天板の開口部２２は、第１対向辺４の方向と略平行に、長手に空けられる。開口部２２は仮想中間線２３を含んでいる。開口部２２の第１対向辺４に垂直な方向の間隔は、付箋紙３の長さ（第１対向辺４に垂直な辺長）により異なるが、一般に１０ｍｍ以上、３０ｍｍ以下にすることが好ましい。また、開口部２２の、第１対向辺４に平行な方向の間隔は、付箋紙３が通過可能な長さであれば良く、すなわち、第１対向辺４の長さより長ければ良い。
【００１９】
図２は、付箋紙積層体１の斜視図である。
台紙１２の上に付箋紙積層体１が置かれ、台紙１２と付箋紙積層体の外周囲（すなわち、付箋紙積層体の表面、一方端面、台紙１２の裏面、他方端面）を第１輪ゴム１６と第２輪ゴム１７が取り巻いている。第１輪ゴム１６と第２輪ゴム１７は、付箋紙積層体１を外周から内側に向かって圧迫する圧迫手段である。この圧迫作用の方向は、主として付箋紙積層体１を、当該付箋紙積層体を構成する最上位の付箋紙と最下位の付箋紙を押し付ける方向に圧迫するものである。
矢印８は、第１対向辺４と第２対向辺５の中間線である。第１輪ゴム１６は中間線８と第１対向辺４の間に設置されている。第１輪ゴム１６の一部分であって付箋紙積層体１の表面に位置する部分は、第１対向辺４と平行である。第２輪ゴム１７は中間線８と第２対向辺５の間に設置されている。第２輪ゴム１７の一部分であって付箋紙積層体１の表面に位置する部分は、第２対向辺５と平行である。
【００２０】
１３ａ〜ｄは台紙１２の辺部に設けられた、輪ゴムの係止位置たる切欠き部である。第１輪ゴム１６は、切欠き部１３ａと１３ｂの位置で台紙に係止されている。第２輪ゴム１７は、切欠き部１３ｃと１３ｄの位置で台紙に係止されている。付箋紙３のポップアップを繰り返すと、第１輪ゴム１６と第２輪ゴム１７は、中間線８の方向に移動する力を受ける。切欠き部１３ａ〜ｄは、このような力に対抗して、第１輪ゴム１６と第２輪ゴム１７を当初設置した位置に保持するように働く。係止位置は１の輪ゴムについて１以上あれば本考案の付箋紙積層体の構成を満足するが、１の輪ゴムについて２の係止位置を設けることが好ましい。
【００２１】
第１輪ゴム１６と第２輪ゴム１７は切幅１．１ｍｍの輪ゴムである。また、その長さは、付箋紙積層体１が消費され、付箋紙３が１枚になった場合に付箋紙を台紙に圧迫可能な長さであれば良い。線１４は、台紙１２の切欠き部１３ａと１３ｂ間、また、同様に切欠き部１３ｃと１３ｄ間の長さを示す線である。よって、第１輪ゴムと第２輪ゴムは、これらを２つ折りにした長さが線１４の長さよりも短いものであれば良い。
第１輪ゴム１６と第２輪ゴム１７が、台紙１２の表面から裏面に交差する位置（すなわち、切欠き部１３ａ〜ｄ）は、台紙上の付箋紙積層体１の輪郭線上、乃至輪郭線の外側である。この位置にすれば、付箋紙積層体が消費され付箋紙積層体の平面保持強度が弱くなっても、付箋紙積層体がたわまず、輪ゴムが付箋紙積層体に対して上下圧迫の作用を行うことが可能となる。
【００２２】
図２において、線４１、４２は台紙１２上の付箋紙積層体１の輪郭線の延長線である。よって、切欠き部１３ａと１３ｃの最内側点（すなわち輪ゴムが接する位置）は、線４１上であるか、線４１よりも輪郭線の外側（第２図の紙面右側）とする。また、切欠き部１３ｂと１３ｄの最内側点（すなわち輪ゴムが接する位置）は、線４２上であるか、線４２よりも輪郭線の外側（第２図の紙面左側）とする。
台紙１２は輪ゴムまたは、他の圧迫手段の圧迫力に対抗してたわまず、平面状態を保つ強度が必要である。台紙１２は、紙、合成樹脂、木など任意の素材で作ることができる。加工の容易性、経済性から紙で作ることが好ましい。
【００２３】
付箋紙積層体１を構成する付箋紙３は、方形すなわち、正方形または長方形の形状である。また、方形で４つ又は３つ以下の角部分を丸くした形状でもよい。付箋紙は方形の単票用紙の裏面に、付箋紙の一辺（第１対向辺または第２対向辺）に沿って付された非転移性の感圧接着剤の細い帯が塗られている。この接着剤の帯びが、当該積層中で積重ねられる付箋紙について、対面する辺の側に交互に積重ねられる。付箋紙積層体は、このような付箋紙を多数枚連続して積層したものである。従って、付箋紙積層体の最上位の付箋紙を引き上げると、付箋紙はジグザグに連なる態様となる。また、積層体の最下面は付箋紙、剥離紙、厚紙、合成樹脂フィルムなど任意のシートにすることができる。
非転移性の感圧接着剤の一例はアクリレート系の接着剤である。
付箋紙の例は、ノート、伝票、ラベル、個所印用紙、伝言用紙、注意書き用紙などである。また、その大きさは、通常、７５ｍｍ×７５ｍｍ、７５ｍｍ×５０ｍｍ、７５ｍｍ×２５ｍｍ、７５ｍｍ×１０ｍｍ、５０ｍｍ×２５ｍｍ、５０ｍｍ×１０ｍｍなどである。通常は７５ｍｍまたは５０ｍｍの辺に直角な辺を第１対向辺、第２対向辺として、第１対向辺、第２対向辺に平行に接着剤が帯状に塗られる。
【００２４】
図３は１の台紙に載置した付箋紙積層体の斜視図である。
３つの付箋紙積層体１ａ、１ｂ、１ｃが台紙１２ｂの表面に置かれている。個々の付箋紙積層体の第１対向辺４ａ、４ｂ、４ｃが台紙１２ｂ上で平行になるように配置される。ここでは、３つの付箋紙積層体１ａ、１ｂ、１ｃは同じ大きさの付箋紙３を積層したものであり、個々の付箋紙積層体の第１対向辺４ａ、４ｂ、４ｃは１本の直線を形成している。
係止穴５２ｅ、５２ｆは、台紙１２ｂに形成された第２輪ゴム１７の係止位置である。３１は、付箋紙積層体１ａの輪郭線を形成する４辺の中で、第１対向辺４ａに垂直な１の辺である。また、３２は、付箋紙積層体１ｂの輪郭線を形成する４辺の中で、第１対向辺４ｂに垂直な１の辺である。係止穴５２ｅは辺３１と辺３２の中間に位置している。係止穴５２ｆもまた同様に付箋紙積層体１ｂと１ｃの中間に位置している。
【００２５】
付箋紙積層体１ａ、１ｂ、１ｃと台紙１２ｂは、１本の第１輪ゴム１６と１本の第２輪ゴム１７により外周囲を取り巻かれている。説明のために、台紙１２上で隣接している付箋紙積層体１ａと付箋紙積層体１ｂを一対の付箋紙積層体とする。第２輪ゴム１７の一部分１７ａは付箋紙積層体１ａの表面に位置している。第２輪ゴムの一部分１７ａに隣接する一方の部分は、係止穴５２ｅで台紙１２ｂの表面から裏面に交差する。第２輪ゴム１７の一部分であって、引き続き隣接する一部分１７ｂは、隣接する付箋紙積層体１ｂが載置されている台紙１２ｂの裏面に位置している。
第２輪ゴムの一部分１７ｂに隣接する部分は、係止穴５２ｆで台紙１２ｂの裏面から表面に交差する。続いて隣接する第２輪ゴムの一部分１７ｃは、付箋紙積層体１ｃの表面に位置している。
【００２６】
台紙１２ｂ上の３つの付箋紙積層体１ａ、１ｂ、１ｃの中で外周に載置されているものは、付箋紙積層体１ａと付箋紙積層体１ｃである。付箋紙積層体１ｃを例にとり、第２輪ゴム１７の取り巻き方を説明する。第２輪ゴムの一部分１７ｃは、（外周）付箋紙積層体１ｃの表面に位置している。第２ゴムの一部分１７ｃに隣接する一部分は、台紙１２ｂの外周辺上の点５３で、台紙１２ｂの表面から裏面に交差する。第２輪ゴム１７の一部分であって、引き続き隣接する一部分１７ｄは、付箋紙積層体１ｃが載置されている台紙１２ｂの裏面に位置している。
【００２７】
この付箋紙積層体の組み立てにあたっては、台紙１２ｂの外側から付箋紙積層体１ａに輪ゴムを巻きつけ、輪ゴムを交差して当該交差部分を切り込み線５１ｅに通し、付箋紙積層体１ｂに巻きつけ、その後同様な操作を行う。
なお、第２輪ゴム１７は、説明のためにその一部分を省略して図示している。
矢印８は第１対向辺４ａ〜ｃと第２対向辺５ａ〜ｃの中間線である。第１輪ゴム１６は中間線８と第１対向辺４ａ〜ｃの間に設置されている。第２輪ゴム１７は中間線８と第２対向辺５ａ〜ｃの間に設置されている。
【００２８】
この付箋紙積層体は、１の台紙上に同一大きさの付箋紙積層体を複数置いたものであるが、第１対向辺の長さが異なる複数の付箋紙積層体（例えば７５ｍｍ×２５ｍｍと７５ｍｍ×１０ｍｍの付箋紙積層体）を複数載置することも出来る。
さらに、本考案の付箋紙積層体の圧迫手段は、第１、第２対向辺の中間線８から第１、第２対向辺の間を圧迫すれば良いので、垂直辺３１の長さが異なる複数の複数の付箋紙積層体（例えば７５ｍｍ×１０ｍｍと５０ｍｍ×１０ｍｍの付箋紙積層体）を複数載置することも出来る。
１の台紙上に複数の付箋紙積層体を載置し、輪ゴムを巻きかける場合に、図３に示した実施例のように第１輪ゴムと第２輪ゴムを各々１の輪ゴムで構成することも出来るし、また、各々を複数の輪ゴムで構成することも出来る。
【００２９】
本考案の圧迫手段は、輪ゴムに限られず、その他の手段で実現することが出来る。
図４は、上板６１と弾性の帯６２で圧迫手段を構成した付箋紙積層体を図示したものである。
（ａ）は付箋紙積層体１の平面図、（ｂ）は付箋紙積層体１の側面図である。付箋紙積層体１の表面に上板６１を載せ、上板６１の両端部６５と６６を復元収縮力のある帯６２で結んでいる。帯６２は、付箋紙積層体の一方端面、底面、他方端面を取り巻いている。帯６２は、つるまきバネ６３とつるまきバネ６３の両端に接続した紐６４で構成されている。また、この帯６２は、つるまきバネの替わりにゴムを取付けて構成することもできる。
上板６１は、帯６２の復元収縮力でたわまず、平板状態を保持可能な強度が必要である。また、上板６１の幅は、１ｍｍ程度から第１対向辺に垂直な辺長の１／３程度までの間で任意の幅を選択することができる。
【００３０】
【効果】
本考案にかかる付箋紙積層体は、簡易な構造で付箋紙のポップアップが実現出来る。また、本考案は、複数の付箋紙積層体を１の収納容器に収納する場合に好適なポップアップ手段である。
さらに、本考案にかかる収納容器に収納された付箋紙積層体は、収納容器に付勢力に対抗する強度が要求されず、収納容器を経済的に作成出来る。また、収納容器を薄くすることが出来る。
【図面の簡単な説明】
【図１】収納容器に収納された付箋紙積層体の斜視図である。
【図２】付箋紙積層体の斜視図である。
【図３】１の台紙に載置した複数の付箋紙積層体の斜視図である。
【図４】付箋紙積層体の図である。
【符号の説明】
１　付箋紙積層体
２　収納容器
３　付箋紙
４　第１対向辺
５　第２対向辺
１２　台紙
１３　係止位置たる切欠き部
１６　第１圧迫手段たる第１輪ゴム
１７　第２圧迫手段たる第２輪ゴム
２１　天板
２２　開口部
【図１】
0003096951.tif 000003
【図２】
0003096951.tif 000004
【図３】
0003096951.tif 000005
【図４】
0003096951.tif 000006